(57)【要約】【課題】母子健康管理システムの利用を促すメリットをユーザに提供する仕組みを実現する。【解決手段】母子健康管理システムは、複数の端末と接続し、端末からの情報と、医療機関からの生体情報と、を分析情報として受け付ける受付部と、分析情報の分析結果に基づいて、母親の状態、子どもの状態、及び、母子間の状態の各々の状態値を特定する分類部と、各状態値に基づいて端末を使用するユーザの家族の所属コミュニティを特定し、所属コミュニティに関連する解決策の提示を受けるためのアクセス権限を付与する権限管理部と、所属コミュニティに関連する解決策を端末に提示する提示部と、を備える。【選択図】図１
2022000743.tif 000002
【特許請求の範囲】
【請求項１】
少なくとも一つの計算機を備える母子健康管理システムであって、
前記母子健康管理システムを利用する複数の端末と接続し、
母親の状態、子どもの状態、及び、母子間の状態の各々の状態値の組合せによって定義されるコミュニティを管理するためのコミュニティ情報と、前記コミュニティにおいて共有される悩みの解決策を管理するための解決策情報と、を格納する記憶部と、
前記端末から、テキストとして入力された、当該端末を使用するユーザを構成員とする家族の前記母親及び前記子どもの少なくともいずれかの状態に関する情報と、医療機関から前記母親及び前記子どもの少なくともいずれかの生体情報と、を分析情報として受け付ける受付部と、
前記分析情報の分析結果に基づいて、前記母親の状態、前記子どもの状態、及び、前記母子間の状態の各々の状態値を特定し、状態情報として出力する分類部と、
前記状態情報に基づいて前記コミュニティ情報を参照することによって、前記端末を使用する前記ユーザの前記家族の所属コミュニティを特定し、前記所属コミュニティに関連する前記解決策の提示を受けるためのアクセス権限を付与するアクセス権限管理部と、
前記所属コミュニティに関連する前記解決策を前記端末に提示する解決策提示部と、
を備え、
前記アクセス権限管理部は、前記端末から、当該端末を使用する前記ユーザの前記家族の前記所属コミュニティの前記解決策を評価するための投票を受け付けた場合、前記端末の前記所属コミュニティの前記アクセス権限を削除することを特徴とする母子健康管理システム。
【請求項２】
請求項１に記載の母子健康管理システムであって、
前記複数の端末から受け付けた前記分析情報の分析結果に基づいて、前記母親の状態、前記子どもの状態、及び、前記母子間の状態の各々の状態値を用いたグルーピングを行い、生成されたグループを前記コミュニティとして前記コミュニティ情報に登録するコミュニティ生成部を備えることを特徴とする母子健康管理システム。
【請求項３】
請求項１に記載の母子健康管理システムであって、
母子に対してサービス及び商品のいずれかを提供する企業のシステムから、前記サービス及び前記商品のいずれかを前記コミュニティの前記解決策として登録するための要求を受け付け、前記解決策情報に、前記サービス及び前記商品のいずれかを前記解決策として登録する解決策登録部を備えることを特徴とする母子健康管理システム。
【請求項４】
請求項３に記載の母子健康管理システムであって、
前記解決策登録部は、前記端末から、当該端末を使用する前記ユーザの前記家族の前記所属コミュニティに対する前記解決策を登録するための要求を受け付けた場合、前記解決策情報に、前記解決策を登録することを特徴とする母子健康管理システム。
【請求項５】
請求項１に記載の母子健康管理システムであって、
前記記憶部は、前記家族が所属する前記コミュニティを関連付けたデータを管理するための地域健康情報を格納し、
前記アクセス権限管理部は、
前記端末を使用する前記ユーザの前記家族の前記データに前記所属コミュニティの情報を追加することによって、前記所属コミュニティの前記アクセス権限を付与し、
前記端末を使用する前記ユーザの前記家族の前記データから前記所属コミュニティの情報を削除することによって、前記所属コミュニティの前記アクセス権限を削除し、
前記母子健康管理システムは、前記地域健康情報を用いて、前記地域毎の前記コミュニティの性質を示す地域情報を自治体のシステムに提示する地域情報生成部を備えることを特徴とする母子健康管理システム。
【請求項６】
少なくとも一つの計算機を含む母子健康管理システムが実行する情報提供方法であって、
前記母子健康管理システムは、
前記母子健康管理システムを利用する複数の端末と接続し、
母親の状態、子どもの状態、及び、母子間の状態の各々の状態値の組合せによって定義されるコミュニティを管理するためのコミュニティ情報と、前記コミュニティにおいて共有される悩みの解決策を管理するための解決策情報と、前記端末を使用するユーザを構成員とする家族の居住地、健康状態、及び前記家族が所属する前記コミュニティを関連付けたデータを管理するための地域健康情報と、保持し、
前記情報提供方法は、
前記少なくとも一つの計算機が、前記端末から、テキストとして入力された、当該端末を使用する前記ユーザの前記家族の前記母親及び前記子どもの少なくともいずれかの状態に関する情報と、医療機関から前記母親及び前記子どもの少なくともいずれかの生体情報と、を分析情報として受け付けるステップと、
前記少なくとも一つの計算機が、前記分析情報の分析結果に基づいて、前記母親の状態、前記子どもの状態、及び、前記母子間の状態の各々の状態値を特定し、状態情報として出力するステップと、
前記少なくとも一つの計算機が、前記状態情報に基づいて前記コミュニティ情報を参照することによって、前記端末を使用する前記ユーザの前記家族の所属コミュニティを特定し、当該家族の前記データに前記所属コミュニティの情報を追加することによって、前記所属コミュニティに関連する前記解決策の提示を受けるためのアクセス権限を付与するステップと、
前記少なくとも一つの計算機が、前記所属コミュニティに関連する前記解決策を前記端末に提示するステップと、
前記少なくとも一つの計算機が、前記地域健康情報を用いて、前記地域毎の前記コミュニティの性質を示す地域情報を自治体のシステムに提示するステップと、
前記少なくとも一つの計算機が、前記端末から、当該端末を使用する前記ユーザの前記家族の前記所属コミュニティの前記解決策を評価するための投票を受け付けた場合、当該家族の前記データから前記所属コミュニティの情報を削除することによって、前記端末の前記所属コミュニティの前記アクセス権限を削除するステップと、を含むことを特徴とする情報提供方法。
【請求項７】
請求項６に記載の情報提供方法であって、
前記少なくとも一つの計算機が、前記複数の端末から受け付けた前記分析情報の分析結果に基づいて、前記母親の状態、前記子どもの状態、及び、前記母子間の状態の各々の状態値を用いたグルーピングを行い、生成されたグループを前記コミュニティとして前記コミュニティ情報に登録するステップを含むことを特徴とする情報提供方法。
【請求項８】
請求項６に記載の情報提供方法であって、
前記少なくとも一つの計算機が、母子に対してサービス及び商品のいずれかを提供する企業のシステムから、前記サービス及び前記商品のいずれかを前記コミュニティの前記解決策として登録するための要求を受け付け、前記解決策情報に、前記サービス及び前記商品のいずれかを前記解決策として登録するステップを含むことを特徴とする情報提供方法。
【請求項９】
請求項８に記載の情報提供方法であって、
前記少なくとも一つの計算機は、前記端末から、当該端末を使用するユーザの前記家族の前記所属コミュニティに対する前記解決策を登録するための要求を受け付けた場合、前記解決策情報に、前記解決策を登録するステップを含むことを特徴とする情報提供方法。
【発明の詳細な説明】
【技術分野】
【０００１】
本発明は、母子の健康を分析及び管理するシステムに関する。
【背景技術】
【０００２】
子どもの健全な発育を手助けすることなどを目的に、妊娠中から産後の母親と子どもの生活習慣や健康状態を調査するコホート研究が実施されはじめている。疾患等の因果を調査するコホート研究等に利用される健康管理システムでは、調査及び分析等と平行して、生活改善のためのアドバイスがユーザに提示される（例えば特許文献１を参照）。
【０００３】
特許文献１には「健康情報管理システムは、まず監視対象者の登録情報を監視対象者情報記憶部１５１に登録する。次に前記登録情報に基づいて健康レベルを設定し、前記健康レベルに応じて計測され監視ユニットより送信された生体情報を生体情報記憶部１５３に記憶する。そして、前記生体情報記憶部１５３に記憶された生体情報に基づいて監視対象者の異常判断処理を実行し、その異常判断に応じてアドバイス情報を監視対象者に対して提示する処理を実行する」ことが記載されている。
【先行技術文献】
【特許文献】
【０００４】
【特許文献１】特開２００３−３１０５６０号公報
【発明の概要】
【発明が解決しようとする課題】
【０００５】
特にコホート研究の初期段階では十分な治験が得られていないため確度の高いアドバイスを生成しにくい。そのため、ユーザはコホート研究の参加メリットを感じられず、コホート研究を行う健康管理システムの利用の動機づけが高くないことが課題であった。
【０００６】
本発明では、母子の健康を分析及び管理する母子健康管理システムの利用を促すメリットをユーザに提供する仕組みを実現することを目的とする。
【課題を解決するための手段】
【０００７】
本願において開示される発明の代表的な一例を示せば以下の通りである。すなわち、少なくとも一つの計算機を備える母子健康管理システムであって、前記母子健康管理システムを利用する複数の端末と接続し、母親の状態、子どもの状態、及び、母子間の状態の各々の状態値の組合せによって定義されるコミュニティを管理するためのコミュニティ情報と、前記コミュニティにおいて共有される悩みの解決策を管理するための解決策情報と、を格納する記憶部と、前記端末から、テキストとして入力された、当該端末を使用するユーザを構成員とする家族の前記母親及び前記子どもの少なくともいずれかの状態に関する情報と、医療機関から前記母親及び前記子どもの少なくともいずれかの生体情報と、を分析情報として受け付ける受付部と、前記分析情報の分析結果に基づいて、前記母親の状態、前記子どもの状態、及び、前記母子間の状態の各々の状態値を特定し、状態情報として出力する分類部と、前記状態情報に基づいて前記コミュニティ情報を参照することによって、前記端末を使用する前記ユーザの前記家族の所属コミュニティを特定し、前記所属コミュニティに関連する前記解決策の提示を受けるためのアクセス権限を付与するアクセス権限管理部と、前記所属コミュニティに関連する前記解決策を前記端末に提示する解決策提示部と、を備え、前記アクセス権限管理部は、前記端末から、当該端末を使用する前記ユーザの前記家族の前記所属コミュニティの前記解決策を評価するための投票を受け付けた場合、前記端末の前記所属コミュニティの前記アクセス権限を削除する。
【発明の効果】
【０００８】
本発明によれば、ユーザは母子健康管理システムの利用に伴うメリットを享受できるため、当該システムの利用を促すことができる。上記した以外の課題、構成及び効果は、以下の実施例の説明により明らかにされる。
【図面の簡単な説明】
【０００９】
【図１】実施例１の母子健康管理システムの構成の一例を示す図である。
【図２】実施例１のコミュニティＤＢに格納されるデータの構造の一例を示す図である。
【図３】実施例１の地域健康ＤＢに格納されるデータの構造の一例を示す図である。
【図４】実施例１の解決策ＤＢに格納されるデータの構造の一例を示す図である。
【図５】実施例１のモバイル端末に提示される画面の一例を示す図である。
【図６】実施例１の自治体のシステムに提示される画面の一例を示す図である。
【図７】実施例１の母子健康管理システムによって提示される登録画面の一例を示す図である。
【発明を実施するための形態】
【００１０】
以下、本発明の実施例を、図面を用いて説明する。ただし、本発明は以下に示す実施例の記載内容に限定して解釈されるものではない。本発明の思想ないし趣旨から逸脱しない範囲で、その具体的構成を変更し得ることは当業者であれば容易に理解される。以下に説明する発明の構成において、同一又は類似する構成又は機能には同一の符号を付し、重複する説明は省略する。本明細書等における「第１」、「第２」、「第３」等の表記は、構成要素を識別するために付するものであり、必ずしも、数又は順序を限定するものではない。図面等において示す各構成の位置、大きさ、形状、及び範囲等は、発明の理解を容易にするため、実際の位置、大きさ、形状、及び範囲等を表していない場合がある。したがって、本発明では、図面等に開示された位置、大きさ、形状、及び範囲等に限定されない。
【実施例１】
【００１１】
図１は、実施例１の母子健康管理システムの構成の一例を示す図である。図２は、実施例１のコミュニティＤＢ１５０に格納されるデータの構造の一例を示す図である。図３は、実施例１の地域健康ＤＢ１６０に格納されるデータの構造の一例を示す図である。図４は、実施例１の解決策ＤＢ１７０に格納されるデータの構造の一例を示す図である。
【００１２】
母子健康管理システム１００は、母及び子を構成員とする家族が使用する複数のモバイル端末１０１と接続する。以下の説明では、モバイル端末１０１を使用する構成員を区別しない場合、ユーザと記載する。
【００１３】
母子健康管理システム１００及びモバイル端末１０１の間は、ＷＡＮ（Ｗｉｄｅ  Ａｒｅａ  Ｎｅｔｗｏｒｋ）及びＬＡＮ（Ｌｏｃａｌ  Ａｒｅａ  ｎｅｔｗｏｒｋ）等のネットワークを介して接続される。ネットワークの接続方式は、有線及び無線のいずれでもよい。なお、母子健康管理システム１００及びモバイル端末１０１は直接接続されてもよい。
【００１４】
母子健康管理システム１００は、自治体のシステム１０３、及び母子が利用している産科医療機関のシステム１０２と接続する。また、母子健康管理システム１００は、母子向けのサービス及び商品の少なくともいずれかを提供する母子向け企業のシステム１０４と接続する。母子健康管理システム１００は、ネットワークを介してシステム１０２、１０３、１０４と接続してもよいし、また、システム１０２、１０３、１０４と直接接続してもよい。
【００１５】
モバイル端末１０１はスマートフォン等の端末である。ユーザは、モバイル端末１０１を用いて、アンケートの回答及びテキストを入力する。例えば、ユーザである母親は、子育ての悩み等をテキストとして入力する。また、ユーザは、モバイル端末１０１を介して、母子健康管理システム１００から送信された、生活アドバイス、コミュニティの情報、及び解決策等を閲覧する。
【００１６】
なお、モバイル端末１０１の代わりに、パーソナルコンピュータ及びテレビジョン等を用いてもよい。
【００１７】
産科医療機関のシステム１０２は、少なくとも一つの計算機から構成され、母子健康管理システム１００からの要求に応じて、母子の健康状態に関する生体情報を送信する。なお、生体情報の送信にあたっては、ユーザ（例えば、母）と、母子健康管理システム１００との間で予めプライバシ契約が結ばれているものとする。生体情報は、例えば、母乳、便、及び血液に関するデータを含む。
【００１８】
自治体のシステム１０３は、少なくとも一つの計算機から構成され、母子健康管理システム１００から地域情報等を取得する。
【００１９】
母子向け企業のシステム１０４は、少なくとも一つの計算機から構成され、母子健康管理システム１００にサービス又は商品を登録する。
【００２０】
母子健康管理システム１００は、受付装置１１０、出力装置１１１、母子健康分析装置１１２、及び母子健康コミュニティ管理装置１１３から構成され、母子の健康を分析及び管理する。
【００２１】
受付装置１１０は、図示しないＣＰＵ（Ｃｅｎｔｒａｌ  Ｐｒｏｃｅｓｓｉｎｇ  Ｕｎｉｔ）、メモリ、及びネットワークインタフェース等を有する計算機である。受付装置１１０は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）等の記憶装置を有してもよいし、キーボード、マウス、及びタッチパネル等の入力装置を有してもよいし、また、ディスプレイ等の出力装置を有してもよい。
【００２２】
ＣＰＵはメモリに格納されるプログラムを実行する。ＣＰＵがプログラムにしたがって処理を実行することによって、特定の機能を実現する機能部（モジュール）として動作する。メモリはＣＰＵが実行するプログラム及びプログラムが使用するデータを格納する。メモリはプログラムが一時的に使用するワークエリアとしても使用される。ネットワークインタフェースはネットワークを介して外部装置と接続するためのインタフェースである。
【００２３】
受付装置１１０は、外部装置又は外部システムから情報及び要求を受け付ける。また、受付装置１１０は、受け付けた情報及び要求を母子健康分析装置１１２及び母子健康コミュニティ管理装置１１３に送信する。
【００２４】
例えば、受付装置１１０は、モバイル端末１０１から、アンケート回答及びテキストを受け付け、母子健康分析装置１１２及び母子健康コミュニティ管理装置１１３に送信する。受付装置１１０は、産科医療機関のシステム１０２から生体情報を受け付け、母子健康分析装置１１２及び母子健康コミュニティ管理装置１１３に送信する。受付装置１１０は、自治体のシステム１０３から情報取得要求を受け付け、母子健康コミュニティ管理装置１１３に送信する。受付装置１１０は、母子向け企業のシステム１０４から解決策登録要求を受け付け、母子健康コミュニティ管理装置１１３に送信する。
【００２５】
出力装置１１１は、図示しないＣＰＵ、メモリ、及びネットワークインタフェース等を有する計算機である。出力装置１１１は、記憶装置を有してもよいし、入力装置を有してもよいし、また、出力装置を有してもよい。
【００２６】
出力装置１１１は、母子健康分析装置１１２及び母子健康コミュニティ管理装置１１３から各種情報を受信し、外部装置又は外部システムに情報を出力する。
【００２７】
例えば、出力装置１１１は、母子健康分析装置１１２からアンケート及び生活アドバイスを受け付け、モバイル端末１０１に送信する。出力装置１１１は、母子健康コミュニティ管理装置１１３からコミュニティに関する情報及び解決策を受け付け、モバイル端末１０１に送信する。出力装置１１１は、母子健康コミュニティ管理装置１１３から地域情報を受け付け、自治体のシステム１０３に送信する。
【００２８】
母子健康分析装置１１２は、図示しないＣＰＵ、メモリ、及びネットワークインタフェース等を有する計算機である。
【００２９】
母子健康分析装置１１２は、記憶装置を有してもよいし、入力装置を有してもよいし、また、出力装置を有してもよい。母子健康分析装置１１２は、母子の健康状態を把握するためのアンケートを生成する。また、母子健康分析装置１１２は、アンケート回答に基づいて母子の健康状態を分析し、分析結果に基づいて生活アドバイスを生成する。
【００３０】
母子健康コミュニティ管理装置１１３は、図示しないＣＰＵ、メモリ、及びネットワークインタフェース等を有する計算機である。母子健康コミュニティ管理装置１１３は、記憶装置を有してもよいし、入力装置を有してもよいし、また、出力装置を有してもよい。
【００３１】
母子健康コミュニティ管理装置１１３は、コミュニティを管理し、家族が属するコミュニティを決定する。
【００３２】
ここで、コミュニティは、ある特性を有するユーザを含む家族の集団である。一例では、同じ悩みを持った母がいる家族のコミュニティ、例えば、特定の病を罹患した子どもがいる家族のコミュニティ、産後鬱の母がいる家族のコミュニティ、及び夜泣きに悩んでいる母がいる家族のコミュニティが考えられる。
【００３３】
母子健康コミュニティ管理装置１１３の機能構成について説明する。
【００３４】
母子健康コミュニティ管理装置１１３は、情報として、コミュニティＤＢ１５０、地域健康ＤＢ１６０、及び解決策ＤＢ１７０を保持する。
【００３５】
コミュニティＤＢ１５０はコミュニティの定義情報を格納する。具体的には、コミュニティＤＢ１５０は、図２に示すようなレコードを複数格納する。一つのコミュニティに対して一つのレコードが存在する。レコードは、コミュニティＩＤ２０１、母親２０２、子ども２０３、及び母子間２０４を含む。
【００３６】
コミュニティＩＤ２０１は、コミュニティの識別情報を格納するフィールドである。母親２０２は、母親の健康状態を表す状態値を格納するフィールドである。子ども２０３は、子どもの健康状態を表す状態値を格納するフィールドである。母子間２０４は、健康状態には属しない親密度等の母親と子どもとの間の関係性を表す状態値を格納するフィールドである。
【００３７】
このように、コミュニティは、母親の状態、子どもの状態、及び母子間の状態の各状態値の組合せで定義される。
【００３８】
なお、母親のフィールドは父親のフィールドに置き換えてもよい。また、母親及び父親の両方のフィールドを設けてもよい。
【００３９】
地域健康ＤＢ１６０は、家族の構成員の健康状態に関する情報を格納する。具体的には、地域健康ＤＢ１６０は、図３に示すようなレコードを複数格納する。一つの家族に対して一つのレコードが存在する。レコードは、家族ＩＤ３０１、住所３０２、状態３０３、所属コミュニティ３０４、及び構成員３０５を含む。
【００４０】
家族ＩＤ３０１は、家族の識別情報を格納するフィールドである。住所３０２は、居住地の住所を格納するフィールドである。状態３０３は、母親、子ども、母子間の各状態値を格納するフィールドである。所属コミュニティ３０４は、家族が所属するコミュニティの識別情報を格納するフィールドである。所属コミュニティ３０４には所属するコミュニティの数だけコミュニティＩＤが格納される。構成員３０５は、家族の構成員の情報を格納するフィールドである。構成員３０５には、構成員の名称及び健康状態から構成される行が構成員の数だけ含まれる。なお、これらの情報は当然、個人情報保護の観点でユーザの同意を得た上で、セキュリティの保護等留意して取扱いを行う必要があることは言うまでもない。また、住所ではなく、住んでいる地域を表す情報だけでもよい。
【００４１】
なお、母子健康コミュニティ管理装置１１３は、健康状態の履歴を管理するデータベースを保持してもよい。
【００４２】
解決策ＤＢ１７０は、コミュニティが共有する悩みに対する解決策の情報を格納する。具体的には、解決策ＤＢ１７０は、図４に示すようなレコードを複数格納する。一つの解決策に対して一つのレコードが存在する。レコードは、解決策ＩＤ４０１、解決策４０２、評価４０３を含む。
【００４３】
解決策ＩＤ４０１は、解決策の識別情報を格納するフィールドである。解決策４０２は、解決策の具体的な内容を格納するフィールドである。評価４０３は、解決策のコミュニティ毎の評価を格納するフィールドであり、コミュニティＩＤ、ラベル、及び評価スコアから構成される行が複数含まれる。
【００４４】
ここで、ラベルは、解決策を適用するユーザを示す情報であって、例えば、「母」、「子」、「母子関係」等が格納される。なお、レコードには必ずしもラベルが設定されていなくてもよい。評価スコアは、コミュニティＩＤに対応するコミュニティにおける解決策の質を示す値である。
【００４５】
母子健康コミュニティ管理装置１１３は、機能部として、分類部１２０、情報管理部１３０、及び解決策登録部１４０を有する。
【００４６】
分類部１２０、情報管理部１３０、及び解決策登録部１４０は、図示しないＣＰＵが、図示しないメモリに格納されるプログラムを実行することによって実現される機能部である。以下の説明では、分類部１２０、情報管理部１３０、及び解決策登録部１４０を主語に処理を説明する場合、図示しないＣＰＵが各機能部を実現するプログラムを実行していることを示す。
【００４７】
分類部１２０は、あるモバイル端末１０１を使用するユーザから取得したアンケート回答及びテキスト、並びに、当該ユーザを構成員とする家族に所属する母親及び子どもの少なくともいずれかの生体情報を用いて、母親、子ども、及び母子間の状態のそれぞれの状態値を特定する。分類部１２０は、各状態の状態値に基づいて、コミュニティＤＢ１５０にて管理されるコミュニティと家族との間の類否を判定する。
【００４８】
分類部１２０は、テキスト分析部１２１、生体情報分析部１２２、状態判定部１２３、及び類似判定部１２４を含む。
【００４９】
テキスト分析部１２１は、アンケート回答及びテキストから、各状態に関連する項目（例えば、文字列）を抽出するためのテキスト分析処理を実行する。例えば、夜泣きに関するテキストが入力された場合、テキスト分析部１２１は、母子間の状態に関連する項目として「夜泣き」を抽出する。本テキスト分析は、一般的な自然言語処理技術を用いて項目の抽出を行えばよい。
【００５０】
生体情報分析部１２２は、生体情報から、各状態に関連する値を算出するための生体情報分析処理を実行する。例えば、生体情報分析部１２２は、生体情報が便のデータである場合、腸内細菌叢の状態（α多様性及びβ多様性等の細菌種多様性、並びにαディフェンシン濃度等）を算出する。
【００５１】
状態判定部１２３は、各分析処理の結果に基づいて各状態（母親、子ども、母子間）の状態値を特定する。
【００５２】
類似判定部１２４は、各状態の状態値と、コミュニティを定義する各状態の状態値とを用いて、家族の各コミュニティに対する類似度を算出する。例えば、特徴量空間におけるユークリッド距離が類似度として算出される。
【００５３】
情報管理部１３０は、家族が所属するコミュニティを決定し、決定されたコミュニティに関連する解決策をモバイル端末１０１に提示する。また、情報管理部１３０は、地域情報を生成し、自治体のシステム１０３に送信する。
【００５４】
情報管理部１３０は、アクセス権限管理部１３１、解決策提示部１３２、地域情報生成部１３３、及びコミュニティ生成部１３４を含む。
【００５５】
アクセス権限管理部１３１は、あるモバイル端末１０１を使用するユーザを構成員とする家族が所属するコミュニティを決定し、決定されたコミュニティに関連する解決策の閲覧、登録、評価を行うためのアクセス権限をモバイル端末１０１に付与する。
【００５６】
解決策提示部１３２は、コミュニティに属する家族のユーザが使用するモバイル端末１０１に解決策を提示する。
【００５７】
地域情報生成部１３３は、コミュニティに関する統計処理を実行することによって地域情報を生成し、自治体のシステム１０３に送信する。
【００５８】
コミュニティ生成部１３４は、複数の家族の各状態の状態値を用いたグルーピングを実行することによってコミュニティを生成する。
【００５９】
解決策登録部１４０は、モバイル端末１０１又は母子向け企業のシステム１０４からの解決策登録要求に基づいて解決策ＤＢ１７０に解決策を登録する。
【００６０】
次に、母子健康コミュニティ管理装置１１３が実行する処理の詳細について説明する。
【００６１】
（１）まず、家族が所属するコミュニティを決定する場合に実行される処理について説明する。
【００６２】
母子健康コミュニティ管理装置１１３は、受付装置１１０から、ある家族のユーザが使用するモバイル端末１０１からアンケート回答及びテキストを受信した場合、処理を開始する。
【００６３】
分類部１２０は、産科医療機関のシステム１０２から生体情報を取得する。具体的には、分類部１２０は、アンケート回答及びテキストとともに送信された家族ＩＤを含む取得要求を産科医療機関のシステム１０２に送信する。
【００６４】
分類部１２０のテキスト分析部１２１は、アンケート回答及びテキストを用いたテキスト分析処理を実行する。また、分類部１２０の生体情報分析部１２２は、アンケート回答及び生体情報を用いた生体情報分析処理を実行する。テキスト分析処理及び生体情報分析処理は公知の技術であるため詳細な説明は省略する。なお、生体情報は取得されなくてもよいし、また、アンケート回答及びテキストが取得されなくてもよい。
【００６５】
分類部１２０の状態判定部１２３は、各分析処理の結果に基づいて、母親の状態、子どもの状態、及び母子間の状態の状態値を特定する。なお、いずれかの状態が存在しない場合もある。この場合、当該状態の状態値は、空欄、０、又はＮＵＬＬ値として扱われる。
【００６６】
分類部１２０の類似判定部１２４は、家族と、コミュニティＤＢ１５０の各レコードにて定義されるコミュニティとの間の類似度を算出する。類似判定部１２４は、家族ＩＤと、各コミュニティの類似度とを含む出力情報を情報管理部１３０に出力する。
【００６７】
情報管理部１３０のアクセス権限管理部１３１は、出力情報に基づいて、家族の所属コミュニティを決定する。例えば、アクセス権限管理部１３１は、類似度が閾値より大きいコミュニティを所属コミュニティに決定する。なお、所属コミュニティは二つ以上となる場合がある。また、所属コミュニティが存在しない場合もある。
【００６８】
情報管理部１３０のアクセス権限管理部１３１は、所属コミュニティのアクセス権限を付与する。具体的には、アクセス権限管理部１３１は、地域健康ＤＢ１６０を参照して、家族ＩＤに対応するレコードを検索し、検索されたレコードの所属コミュニティ３０４にコミュニティのＩＤを登録する。このとき、情報管理部１３０のアクセス権限管理部１３１は、モバイル端末１０１に決定されたコミュニティの情報を通知してもよい。なお、所属コミュニティが存在しない場合、アクセス権限管理部１３１は、検索されたレコードに、未定義のコミュニティを示すＩＤを登録する。
【００６９】
このように、アンケート回答、テキスト、及び生体情報のいずれかを入力することによって、家族（ユーザ）が所属するコミュニティを自動的に分類できる。
【００７０】
（２）次に、モバイル端末１０１に解決策を提示する場合に実行される処理について説明する。
【００７１】
母子健康コミュニティ管理装置１１３は、モバイル端末１０１から解決策の提示要求を受信した場合、又は、所属コミュニティが決定された場合、以下で説明する処理を開始する。
【００７２】
情報管理部１３０の解決策提示部１３２は、地域健康ＤＢ１６０を参照して、モバイル端末１０１を使用するユーザの家族の所属コミュニティを特定する。具体的には、解決策提示部１３２は、ユーザの氏名又は家族ＩＤに基づいて、モバイル端末１０１を使用するユーザの家族のレコードを検索し、当該レコードの所属コミュニティ３０４に格納されるＩＤを取得する。
【００７３】
情報管理部１３０の解決策提示部１３２は解決策ＤＢ１７０を用いて解決策提示情報を生成する。具体的には、解決策提示部１３２は、解決策ＤＢ１７０を参照して、評価４０３のコミュニティＩＤに所属コミュニティのＩＤが格納される行を含むレコードを検索する。解決策提示部１３２は、検索されたレコードの所属コミュニティの評価スコアに基づいて、所定の数のレコードを選択し、選択されたレコードを所属コミュニティの評価スコアの大きさにソートする。解決策提示部１３２は、ソート順に、レコードの解決策を登録したリストを、解決策提示情報として生成する。
【００７４】
例えば、解決策提示部１３２は、評価スコアが閾値より大きいレコードを選択する。また、解決策提示部１３２は、評価スコアの大きい順に所定の数のレコードを選択する。
【００７５】
情報管理部１３０の解決策提示部１３２は、モバイル端末１０１に解決策提示情報を送信する。
【００７６】
なお、解決策提示部１３２は、コミュニティ情報を生成し、モバイル端末１０１に送信してもよい。具体的には、解決策提示部１３２は、所属コミュニティのＩＤに基づいて地域健康ＤＢ１６０を参照し、所属コミュニティ３０４に所属コミュニティのＩＤが格納されるレコードの数を、所属コミュニティに属する家族数としてカウントする。地域健康ＤＢ１６０から検索されたレコードの状態３０３の状態値と、所属コミュニティに属する家族数とを含むコミュニティ情報を生成する。
【００７７】
モバイル端末１０１は、解決策提示情報及びコミュニティ情報に基づいて画面を提示する。図５は、実施例１のモバイル端末１０１に提示される画面の一例を示す図である。
【００７８】
画面５００は、表示欄５１０、５２０、５３０を含む。表示欄５１０には、コミュニティ情報に基づいて母親の状態、子どもの状態、及び所属コミュニティに属する家族数が表示される。また、モバイル端末１０１のユーザが自由にチャット入力を行えるように構成し、コミュニティ内で情報交換をできるようにしてもよい。この場合、一つのモバイル端末１０１を利用するユーザが複数のコミュニティに属することもあり得るため、チャット表示領域は図示のように、母（状態Ａ）および子（状態Ｂ）と複数表示してもよい。表示欄５２０には、解決策がランキング形式で表示される。解決策は、前述の複数のコミュニティ毎に切り替わるように表示してもよい。表示欄５３０には、自治体のシステム１０３から取得された情報が表示される。
【００７９】
例えば、解決策提示部１３２は、所属コミュニティの情報を含む問合せを自治体のシステム１０３に送信することによって、解決策とともに提示することが望ましい情報を取得する。なお、解決策提示部１３２は、ユーザからの要求に基づいて自治体のシステム１０３から情報を取得してもよい。
【００８０】
コミュニティを介して解決策を提示することによって、ユーザは、母子健康管理システム１００の利用に伴うメリットを享受することができる。したがって、母子健康管理システム１００の利用の動機づけを高めることができるため、利用するユーザ数の増加及びユーザの継続的な利用が期待される。これによって、生活アドバイスの確度を向上できる。また、同じ悩みを持つユーザと情報交換ができる場をサイバー上で構築することが可能となり、より実態に近い解決策の把握や悩みの共有などのメリットを享受し、さらに、自分の参加が他の同じ悩みを持つユーザに役立つことを実感できるため、システム利用の動機づけを向上することができる。
【００８１】
特に、コホート研究におけるシステム導入の初期段階では、母子健康分析装置１１２は質の高い生活アドバイスを提供しにくい。すなわち、母子健康管理システム１００の利用に伴うメリットが小さいという問題があった。しかし、本発明を用いることによって、システム導入の初期段階でもユーザは母子健康管理システム１００の利用に伴うメリットを享受できる。
【００８２】
（３）次に、アクセス権限を削除する場合に実行される処理について説明する。
【００８３】
母子健康コミュニティ管理装置１１３は、モバイル端末１０１から解決策に対する評価要求を受信した場合、以下で説明する処理を開始する。なお、評価要求には、家族ＩＤ、コミュニティＩＤ、解決策ＩＤ、及び評価情報が含まれる。
【００８４】
情報管理部１３０のアクセス権限管理部１３１は、解決策ＤＢ１７０を参照して、解決策ＩＤに対応するレコードを検索する。アクセス権限管理部１３１は、評価情報に基づいて、検索されたレコードの評価４０３に含まれる行の内、コミュニティＩＤに対応する行の評価スコアを更新する。例えば、評価情報が数値の場合、アクセス権限管理部１３１は評価スコアに数値を加算する。評価情報が記号又は文字列の場合、アクセス権限管理部１３１は評価情報を数値に変換し、評価スコアに数値を加算する。なお、ポジティブな評価の場合、評価スコアが大きくなるように更新され、ネガティブな評価の場合、評価スコアが小さくなるように更新される。
【００８５】
情報管理部１３０のアクセス権限管理部１３１は、地域健康ＤＢ１６０を参照して、モバイル端末１０１を使用するユーザの家族のレコードを検索する。情報管理部１３０のアクセス権限管理部１３１は、当該レコードの所属コミュニティ３０４からコミュニティＩＤを削除する。
【００８６】
なお、アクセス権限管理部１３１は、モバイル端末１０１にコミュニティからの離脱の要否を問い合わせてもよい。
【００８７】
母子健康コミュニティ管理装置１１３は、解決策に対する評価を行った時点で、コミュニティが共有する悩みが解決されたと判定し、評価を行ったユーザをコミュニティから自動的に離脱させる。これによって、母子健康管理システム１００の利用の手間及び煩わしさ等を低減できる。
【００８８】
（４）次に、地域情報を生成する場合に実行される処理について説明する。
【００８９】
母子健康コミュニティ管理装置１１３は、自治体のシステム１０３から情報取得要求を受信した場合、以下で説明する処理を開始する。なお、情報取得要求には、自治体が管理する地域の情報が含まれる。
【００９０】
情報管理部１３０の地域情報生成部１３３は、地域健康ＤＢ１６０を参照し、指定された地域に居住している家族のレコードを検索する。具体的には、地域情報生成部１３３は、住所３０２に、指定された地域に該当する住所が格納されるレコードを検索する。
【００９１】
地域情報生成部１３３は、検索されたレコードの所属コミュニティ３０４に格納されるＩＤに基づいて、所属コミュニティの性質を分析し、当該分析結果を含む地域情報を生成する。
【００９２】
自治体のシステム１０３は、地域情報に基づいて画面を提示する。図６は、実施例１の自治体のシステム１０３に提示される画面の一例を示す図である。
【００９３】
画面６００には対象の地域の所属コミュニティ毎のユーザの分布を表示される。また、対象の地域とは異なる地域の施策等を取得できる場合、自治体のシステム１０３は、画面６００に他の地域の施策等を表示する。
【００９４】
（５）次に、解決策を登録する場合に実行される処理について説明する。解決策は、モバイル端末１０１又は母子向け企業のシステム１０４によって登録される。
【００９５】
まず、モバイル端末１０１を用いた解決策の登録方法について説明する。
【００９６】
母子健康コミュニティ管理装置１１３は、モバイル端末１０１から解決策登録要求を受信する。解決策登録要求には、所属コミュニティＩＤ及び解決策が含まれる。なお、モバイル端末１０１を介した解決策の登録では、モバイル端末１０１を使用するユーザの家族が所属するコミュニティに対してのみ解決策が登録できるように制御される。
【００９７】
解決策登録部１４０は、解決策ＤＢ１７０に解決策を登録する。具体的には、解決策登録部１４０は、解決策ＤＢ１７０にレコードを追加し、追加されたレコードの解決策ＩＤ４０１に識別情報を設定し、解決策４０２に解決策を設定する。また、解決策登録部１４０は、追加されたレコードに行を生成し、行のコミュニティＩＤに所属コミュニティのＩＤを設定し、また、行の評価スコアに初期値を設定する。初期値は、例えば、０である。このとき、解決策登録部１４０は、有効期限が設定された提示フラグをレコードに設定する。提示フラグは、評価スコアの大きさにかかわらず、解決策を提示するためのフラグである。これによって、評価されていない解決策であっても、ユーザに提示することができる。有効期限が経過した場合、解決策登録部１４０は、レコードから提示フラグを削除する。
【００９８】
次に、母子向け企業のシステム１０４を用いた解決策の登録方法について説明する。
【００９９】
母子健康コミュニティ管理装置１１３は、システム１０４からのアクセスを受信する。
【０１００】
解決策登録部１４０はシステム１０４に対して図７に示すような登録画面７００を提示する。登録画面７００は、表示欄７１０及び入力欄７２０を含む。表示欄７１０は、コミュニティＩＤ及びコミュニティの特性（各状態の状態値）を表示する欄である。表示欄７１０には、例えば、コミュニティＤＢ１５０に格納されるレコード群が表示される。入力欄７２０は、解決策に関する情報を入力する欄である。入力欄７２０は、コミュニティ入力欄７２１、ラベル入力欄７２２、商品／サービス入力欄７２３、及び登録ボタン７２４を含む。
【０１０１】
コミュニティ入力欄７２１は、解決策の提示先のコミュニティを入力する欄である。コミュニティ入力欄７２１には、例えば、コミュニティＩＤが入力される。ラベル入力欄７２２は、ラベルを入力する欄である。なお、ラベル入力欄７２２は空欄でもよい。商品／サービス入力欄７２３は、解決策として提示する商品又はサービスを入力する欄である。登録ボタン７２４は、入力欄７２０に設定された値を含む解決策登録要求を送信するための操作ボタンである。なお、入力欄７２０は一例であってこれに限定されない。一つの解決策を複数のコミュニティに適用できるような入力欄でもよい。
【０１０２】
母子向け企業のユーザは、表示欄７１０を参照して、サービス又は商品を提供するコミュニティを決定する。また、当該ユーザは、商品／サービス入力欄７２３に商品又はサービスの名称等を設定し、コミュニティ入力欄７２１及びラベル入力欄７２２にコミュニティＩＤ及びラベルを設定する。また、ユーザは、登録ボタン７２４を押下する。
【０１０３】
システム１０４は、登録画面に設定された値を含む解決策登録要求を母子健康コミュニティ管理装置１１３に送信する。
【０１０４】
解決策登録部１４０は、解決策ＤＢ１７０にレコードを追加し、追加されたレコードに解決策ＩＤを設定し、解決策を設定する。また、解決策登録部１４０は、追加されたレコードに行を追加し、当該行にコミュニティＩＤ、ラベル、及びコミュニティの評価スコアの初期値を設定する。また、解決策登録部１４０は、有効期限が設定された提示フラグをレコードに設定する。
【０１０５】
母子向け企業がサービス及び商品を登録することによって、母子健康管理システム１００を介してサービス及び商品をユーザに提供することができる。これによって、母子健康管理システム１００の利用に伴うメリットをさらに増大することができる。また、母子向け企業にとっては、サービス又は商品の広告及び販路の確保等、ビジネスの活性化の機会を得ることができる。
【０１０６】
（６）次に、コミュニティを生成する場合に実行される処理について説明する。
【０１０７】
母子健康コミュニティ管理装置１１３は、未定義のコミュニティを示すＩＤが所属コミュニティ３０４に設定された場合、当該ＩＤが設定されたレコードの数が閾値より大きくなった場合、又は、生成指示を受け付けた場合、以下で説明する処理を開始する。
【０１０８】
情報管理部１３０のコミュニティ生成部１３４は、地域健康ＤＢ１６０を参照して、所属コミュニティ３０４に、未定義のコミュニティを示すＩＤが設定されたレコードを検索する。
【０１０９】
情報管理部１３０のコミュニティ生成部１３４は、レコードの状態３０３の状態値を用いたグルーピングを実行することによって複数のグループを生成する。例えば、コミュニティ生成部１３４は、各状態から構成される特徴量空間におけるクラスタリングを実行することによって、クラスタ（グループ）を生成する。クラスタリングの手法は、例えば、Ｋ−ｍｅａｎｓ法等である。
【０１１０】
情報管理部１３０のコミュニティ生成部１３４はグループを選択する。コミュニティ生成部１３４は、コミュニティＤＢ１５０にグループに対応するレコードを追加し、当該レコードのコミュニティＩＤ２０１に識別情報を設定する。また、コミュニティ生成部１３４は、グループの状態値の平均値を算出し、レコードの母親２０２、子ども２０３、及び母子間２０４に平均値を設定する。コミュニティ生成部１３４は、全てのグループに対して前述の処理を実行する。
【０１１１】
なお、コミュニティ生成用の入力データを用いてコミュニティが生成されてもよい。例えば、コミュニティ生成部１３４は、複数の子どもの便に関する生体情報を分類部１２０の生体情報分析部１２２に入力し、腸内細菌叢の状態を子どもの状態として含む分析データを取得する。このとき、分析データの母親の状態及び母子間の状態はＮＵＬＬ値である。コミュニティ生成部１３４は、分析データを用いたグルーピングを実行して、コミュニティを生成する。コミュニティ生成部１３４は、生成されたコミュニティの情報をコミュニティＤＢ１５０に登録する。
【０１１２】
母子健康管理システム１００は、新たな特性を有するコミュニティを自動に生成することができる。これによって、新たなコミュニティの特性の分析、解決策の蓄積、及び解決策の提示が可能となる。
【０１１３】
なお、本発明は上記した実施例に限定されるものではなく、様々な変形例が含まれる。また、例えば、上記した実施例は本発明を分かりやすく説明するために構成を詳細に説明したものであり、必ずしも説明した全ての構成を備えるものに限定されるものではない。また、各実施例の構成の一部について、他の構成に追加、削除、置換することが可能である。
【０１１４】
また、上記の各構成、機能、処理部、処理手段等は、それらの一部又は全部を、例えば集積回路やＦＰＧＡで設計する等によりハードウェアで実現してもよい。また、本発明は、実施例の機能を実現するソフトウェアのプログラムコードによっても実現できる。この場合、プログラムコードを記録した記憶媒体をコンピュータに提供し、そのコンピュータが備えるプロセッサが記憶媒体に格納されたプログラムコードを読み出す。この場合、記憶媒体から読み出されたプログラムコード自体が前述した実施例の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、ＳＳＤ（Ｓｏｌｉｄ  Ｓｔａｔｅ  Ｄｒｉｖｅ）、光ディスク、光磁気ディスク、ＣＤ−Ｒ、磁気テープ、不揮発性のメモリカード、ＲＯＭなどが用いられる。
【０１１５】
また、本実施例に記載の機能を実現するプログラムコードは、例えば、アセンブラ、Ｃ／Ｃ＋＋、ｐｅｒｌ、Ｓｈｅｌｌ、ＰＨＰ、Ｐｙｔｈｏｎ、Ｒ、Ｊａｖａ（登録商標）等の広範囲のプログラム又はスクリプト言語で実装できる。
【０１１６】
さらに、実施例の機能を実現するソフトウェアのプログラムコードを、ネットワークを介して配信することによって、それをコンピュータのハードディスクやメモリ等の記憶手段又はＣＤ−ＲＷ、ＣＤ−Ｒ等の記憶媒体に格納し、コンピュータが備えるプロセッサが当該記憶手段や当該記憶媒体に格納されたプログラムコードを読み出して実行するようにしてもよい。
【０１１７】
上述の実施例において、制御線や情報線は、説明上必要と考えられるものを示しており、製品上必ずしも全ての制御線や情報線を示しているとは限らない。全ての構成が相互に接続されていてもよい。
【符号の説明】
【０１１８】
１００  母子健康管理システム
１０１  モバイル端末
１０２  産科医療機関のシステム
１０３  自治体のシステム
１０４  母子向け企業のシステム
１１０  受付装置
１１１  出力装置
１１２  母子健康分析装置
１１３  母子健康コミュニティ管理装置
１２０  分類部
１２１  テキスト分析部
１２２  生体情報分析部
１２３  状態判定部
１２４  類似判定部
１３０  情報管理部
１３１  アクセス権限管理部
１３２  解決策提示部
１３３  地域情報生成部
１３４  コミュニティ生成部
１４０  解決策登録部
１５０  コミュニティＤＢ
１６０  地域健康ＤＢ
１７０  解決策ＤＢ
【図１】
2022000743.tif 000003
【図２】
2022000743.tif 000004
【図３】
2022000743.tif 000005
【図４】
2022000743.tif 000006
【図５】
2022000743.tif 000007
【図６】
2022000743.tif 000008
【図７】
2022000743.tif 000009